(57)【特許請求の範囲】
【請求項１】
液剤を含む液体源からエアロゾルを発生させるためのエアロゾル源と、このエアロゾル源と使用時にユーザーがエアロゾルを吸引するための開口部との間を接続する空気路を画定する空気路壁とを含み、空気路壁の内面の少なくとも一部には液剤に対する濡れ性を増すために表面仕上げが施されているエアロゾル供給装置。
【請求項２】
表面仕上げが表面模様を含むことを特徴とする請求項１記載のエアロゾル供給装置。
【請求項３】
表面模様が空気路壁に型押しされることを特徴とする請求項２記載のエアロゾル供給装置。
【請求項４】
表面模様が空気路壁を研磨粗面化処理することによって施されることを特徴とする請求項２または３記載のエアロゾル供給装置。
【請求項５】
空気路壁が基材を含み、表面仕上げが基材に塗布されるコーティングを含み、このコーティングが基材より液剤に対して高い濡れ性を有することを特徴とする請求項１乃至４いずれか１項記載のエアロゾル供給装置。
【請求項６】
表面仕上げがプラズマコーティング処理を含むことを特徴とする請求項１乃至５いずれか１項記載のエアロゾル供給装置。
【請求項７】
表面仕上げが液剤に対して異なる濡れ性の領域を設けるために空気路壁に亘って異なることを特徴とする請求項１乃至６いずれか１項記載のエアロゾル供給装置。
【請求項８】
液剤に対して濡れ性が異なる領域が第２領域に隣接する第１領域を含み、第１領域がユーザーがエアロゾルを吸引する開口部に第２領域より近くに位置し、第２領域が第１領域より液剤に対して高い濡れ性を有することを特徴とする請求項７記載のエアロゾル供給装置。
【請求項９】
空気路の外側にあるが、空気路と流体連通する貯蔵面をさらに含み、この貯蔵面にも液剤に対する濡れ性を増すための表面仕上げが施されていることを特徴とする請求項１乃至８いずれか１項記載のエアロゾル供給装置。
【請求項１０】
空気路がエアロゾル供給装置の第１部品とエアロゾル供給装置の第２部品の間の空間にによって画定されていることを特徴とする請求項１乃至９いずれか１項記載のエアロゾル供給装置。
【請求項１１】
エアロゾル供給装置の第１および第２部品の間の接触面で空気路に隣接するエアロゾル供給装置の第１および／または第２部品の少なくとも一部に表面模様付けされた表面が設けられ、これにより毛管現象により空気路の壁から接触面内に液剤が流れやすくなっていることを特徴とする請求項１０記載のエアロゾル供給装置。
【請求項１２】
第１部品が液剤を含む液体源用の容器を含み、第２部部品がエアロゾル供給装置用のハウジングを含むことを特徴とする請求項１０または１１記載のエアロゾル供給装置。
【請求項１３】
第１部材の外方面が第２部材の内面にそれらの間の空間から離れて合致することを特徴とする請求項１０乃至１２いずれか１項記載のエアロゾル供給装置。
【請求項１４】
エアロゾル源が液体源と接触するヒーターを含み、エアロゾル供給装置が液体源を加熱して液剤からエアロゾル発生させるためにヒーターに電力を供給するための電池またはバッテリーをさらに含むことを特徴とする請求項１乃至１３いずれか１項記載のエアロゾル供給装置。
【請求項１５】
液剤がニコチンを含有すること特徴とする請求項１乃至１４いずれか１項記載のエアロゾル供給装置。
【請求項１６】
液剤を含む液体源からエアロゾルを発生させるためのエアロゾル源と、このエアロゾル源と使用時にユーザーがエアロゾルを吸引するための開口部との間を接続する空気路を画定する空気路壁とを含むエアロゾル供給装置の空気路の製造方法であって、空気路壁の内面の少なくとも一部に液剤に対する濡れ性を増すための表面仕上げを施すことを含む方法。
【請求項１７】
表面仕上げを施すことが表面模様を付与することを含むことを特徴とする請求項１６記載の方法。
【請求項１８】
表面模様が模様付けされた型を使用して空気路壁の少なくとも一部で成型することによって付与されることを特徴とする請求項１７記載の方法。
【請求項１９】
表面模様が空気路壁の少なくとも一部の研磨粗面化処理によって付与されることを特徴とする請求項１７または１８記載の方法。
【請求項２０】
液剤を含む液体源からエアロゾルを発生させるためのエアロゾル源と、このエアロゾル源と使用時にユーザーがエアロゾルを吸引するための開口部との間を接続する空気路を画定する空気路壁とを含むエアロゾル供給装置の空気路壁の製造装置であって、空気路壁の内面の少なくとも一部に液剤に対する濡れ性を増すための表面仕上げを施す機構を含む装置。
【発明の詳細な説明】
【技術分野】
【０００１】
本開示はニコチン供給装置（例えば、電子タバコ）などのエアロゾル供給装置に関する。
【背景技術】
【０００２】
電子タバコなどのエアロゾル供給装置は、一般に例えば、気化または他の手段によってエアロゾルを発生させるための通常ニコチンを含む製剤を含有する液体源の容器を含む。従って、エアロゾル供給装置のエアロゾル源は、容器から液体源の一部に結合したヒーターを含んでもよい。ユーザーが装置を介して吸引すると、ヒーターが作動し、少量の液体源を気化させ、従って、ユーザーが吸引するためのエアロゾルに変換される。より具体的にはこのような装置には装置のマウスピースから離れて位置する１つ以上の空気取り込み穴が通常設けられている。ユーザーがマウスピースを介して吸い込みを行うと、空気が取り込み穴を通って引き込まれ、エアロゾル源を通過する。エアロゾル源とマウスピースの開口部間を接続する流路があり、エアロゾル源を通過して引き込まれる空気がエアロゾル源からのエアロゾルの一部を搬送しながらこの流路に沿ってマウスピース開口部へと引き込まれるようになっている。エアロゾルを搬送する空気はマウスピース開口部を介してエアロゾル供給装置から出てユーザーに吸引される。
【０００３】
上述の種類のエアロゾル供給装置にはエアロゾルの一部がエアロゾル源をマウスピース開口部に接続する流路の内壁に堆積（凝集）してしまうという問題が起こる可能性がある。これは流路の壁に形成される液体源からの製剤の小滴の堆積の原因になり得る。その後これらの小滴は流路内を流れ、ユーザーの口内に引き込まれる空気に同伴する場合がある。例えばその小滴には味が付いているので、このことはユーザーの感覚を損なうことになる。この問題は、ある意味では「口漏れ（mouth leakage）」と言われる場合がある。
【０００４】
吸入具におけるエアロゾルの凝集に関連するいくつかの問題点について特許文献１で以前に検討されている。特に特許文献１は、凝集物が堆積する結果としてマウスピースを頻繁に交換することを避けようとする要求について認識している。この問題に対処するために特許文献１はクーラーと吸収体を併用してマウスピース内で凝集する可能性のあるエアロゾルの成分を捕獲し、貯蔵することを提案している。特許文献１の方法は、吸入具内のスペースを取ってしまう比較的複雑な２段階の解決策に依存するという点で欠点を有する。
【０００５】
従って、エアロゾルの凝集に関連する上述の問題点のいくつかを改善するエアロゾル供給装置が未だに必要とされている。
【発明の概要】
【０００６】
特定の実施態様の１つの態様ではエアロゾル供給装置が提供され、この装置は、液剤を含む液体源からエアロゾルを発生させるためのエアロゾル源と、このエアロゾル源と使用時にユーザーがエアロゾルを吸引するための開口部との間を接続する空気路を画定する空気路壁とを含み、空気路壁の内面の少なくとも一部には液剤に対する濡れ性を増すための表面仕上げが施されている。
【０００７】
特定の実施態様の１つの態様では液剤を含む液体源からエアロゾルを発生させるためのエアロゾル源と、このエアロゾル源と使用時にユーザーがエアロゾルを吸引するための開口部との間を接続する空気路を画定する空気路壁とを含むエアロゾル供給装置の製造方法が提供され、この方法は空気路壁の内面の少なくとも一部に液剤に対する濡れ性を増すための表面仕上げを施すことを含む。
【０００８】
特定の実施態様の１つの態様では液剤を含む液体源からエアロゾルを発生させるためのエアロゾル源と、このエアロゾル源と使用時にユーザーがエアロゾルを吸引するための開口部との間を接続する空気路を画定する空気路壁を製造するための装置が提供され、この装置は空気路壁の少なくとも一部に液剤に対する濡れ性を増すための表面仕上げを施すための機構を含む。
【０００９】
本明細書で説明する提案は以下に説明する実施態様などの特定の実施態様に限定されないが、ここに提示する特徴のあらゆる好適な組み合わせを含み、考慮する。例えば、電子エアロゾル供給装置は、必要に応じて以下に説明する種々の特徴のいずれか１つ以上を含む本明細書で説明する提案に従って提供されてもよい。
【図面の簡単な説明】
【００１０】
種々の実施態様を単に一例として以下の図面を参照して詳しく説明する。
【００１１】
【図１】いくつかの実施態様による電子タバコなどのエアロゾル供給装置の略図（分解）である。
【図２】いくつかの実施態様による図１の電子タバコの主本体部の略図である。
【図３】いくつかの実施態様による図１の電子タバコのエアロゾル源部分の略図である。
【図４】いくつかの実施態様による図１の電子タバコの主本体部の一端の特定の態様を示す略図である。
【図５Ａ】いくつかの他の実施態様によるエアロゾル供給装置の構成部品の略図である。
【図５Ｂ】いくつかの他の実施態様によるエアロゾル供給装置の構成部品の略図である。
【図５Ｃ】いくつかの他の実施態様によるエアロゾル供給装置の構成部品の略図である。
【図６】いくつかの実施態様によるエアロゾル供給装置の製造方法における工程を略式に表すフロー図である。
【図７】いくつかの実施態様によるエアロゾル供給装置の製造装置の略図である。
【発明を実施するための形態】
【００１２】
特定の実施例および実施態様の側面および特徴をここで検討／説明する。いくつかの特定の実施例および実施態様の側面および特徴は従来通りに実行してもよく、それらについては簡潔にするために詳しく検討したり、説明したりしない。従って、当然のことながらここで検討する装置および方法のここで詳しく説明しない側面および特徴は、このような側面および特徴を実行するためのあらゆる従来の技法に従って実行してもよい。
【００１３】
上述のように本開示は、電子タバコなどのエアロゾル供給装置に関する。以下の説明を通して「電子タバコ」なる用語を時には使うこともあるが、この用語はエアロゾル（蒸気）供給装置と同じ意味で使用してもよい。
【００１４】
図１はいくつかの実施態様による電子タバコ１０（正確な縮尺ではない）などのエアロゾル／蒸気供給装置の略図である。電子タバコは、ほぼ円筒状であり、破線ＬＡで示す長手方向軸に沿って延び、２つの主要部材、即ち本体２０とカトマイザー３０とを含む。カトマイザーはエアロゾルを発生させる、例えばニコチンを含有する液剤を含む液体源の容器を含む内部チェンバーとエアロゾル発生器とを含む。液体源とエアロゾル発生器はエアロゾル源と総称してもよい。さらにカトマイザー３０は、エアロゾル源によって発生したエアロゾルをユーザーが吸引するための開口部を有するマウスピース３５を含む。液体源は、紙巻きタバコに使用される従来の種類のものであってもよく、例えば３％のニコチンと５０％のグリセロールを含み、残りが大まかに同量の水およびプロピレングリコールそして場合によっては風味剤などの他の成分を含むものであってもよい。液体源用の容器はエアロゾル発生器／気化器に液体を供給する必要が生じる時まで液体源を保持するためにハウジング内に発泡体マトリックスまたはあらゆる他の構造体を含んでもよい。エアロゾル発生器は液体源を気化し、液剤のエアロゾルを形成するためのヒーターを含む。さらにエアロゾル発生器は容器から少量の液体源をヒーター上のまたはヒーターに隣接する加熱位置へと移すための芯または同様の手段を含んでもよい。
【００１５】
本体２０は電子タバコ１０に電力を供給するための充電可能な電池またはバッテリーと電子タバコを通常制御するための回路板とを含む。使用時、ヒーターが回路板によって制御されながらバッテリーから電力を受け取ると、ヒーターが加熱位置で液体源を気化してエアロゾルを発生させ、これがマウスピースの開口部を介してユーザーによって吸引される。ユーザーがマウスピースで吸引すると、エアロゾルはエアロゾル源からマウスピースへとエアロゾル源をマウスピース開口部へと接続する空気路に沿って搬送される。
【００１６】
この特定の例では本体２０とカトマイザー３０は図１に示すように長手方向軸ＬＡに対して平行な方向に分離させることによって互いに取り外し可能であるが、装置１０の使用時には２５Ａおよび２５Ｂとして図１において略式に示す本体２０とカトマイザー３０間の機械的および電気的接続を供する接続部によって接合される。カトマイザーへの接続に使用される本体２０の電気コネクターは、本体がカトマイザー３０から取り外した際の充電装置（図示せず）を接続するためのソケットとしての役割も果たす。充電装置の他端は、電子タバコの本体内の電池／バッテリーを充電または再充電するために外部電気供給装置、例えばＵＳＢソケットに差し込むことができる。他の実行例ではケーブルを本体の電気コネクターと外部電力供給装置を直接接続するために設けてもよい。
【００１７】
電子タバコ１０には空気を取り込むための１つ以上の穴（図１では示されていない）が設けられている。これらの穴は電子タバコ１０を通るマウスピース３５への空気走行通路に接続する。この空気通路はエアロゾル源の周囲の領域およびエアロゾル源からマウスピースの開口部へと接続する空気路を含むセクションを含む。
【００１８】
ユーザーがマウスピース３５を介して吸引すると、空気が電子タバコの外側に好適に配置された１つ以上の空気取り込み穴を介してこの空気通路内に引き込まれる。この空気流（またはその結果生じる圧力の変化）は圧力センサーによって検出され、次にこの圧力センサーは、ヒーターを作動させて液体源の一部を気化し、エアロゾルを発生させる。空気流は空気通路を通過し、エアロゾル源の周囲の領域でエアロゾルと混合し、得られた空気流とエアロゾルの混合物は、その後ユーザーによって吸引されるようにエアロゾル源からマウスピース３５へと接続する空気路に沿って移動する。カトマイザー３０は、液体源を使い切った際に本体２０から取り外して、廃棄してもよい（必要に応じて別のカトマイザーと交換してもよい）。これとは別にカトマイザーは、詰め替え可能であってもよい。
【００１９】
当然のことながら図１に示した電子タバコ１０は例として提示されており、種々の他の実行例が適用可能である。例えばいくつかの実施態様ではカトマイザー３０は２つの分離可能な部品、即ち液体源容器およびマウスピースを含むカートリッジ（容器の液体源を使い切ったら交換することができる）および気化器／エアロゾル発生器を含むヒーター（一般的に保持される）として提供される。別の例として充電設備は車のシガレットライターソケットなどの追加のまたは別の電力源に接続してもよい。
【００２０】
図２は図１の電子タバコの本体２０の略図（単純化した）である。図２は電子タバコの長手方向軸ＬＡを通る面の横断面と通常見なすことができる。ここで留意すべきは本体の種々の部品および詳細、例えば配線および複雑な形状は、分かりやすくするために図２から省かれている。
【００２１】
図２に示すように本体２０は電子タバコ１０に電気を供給するためのバッテリーまたは電池２１０並びに電子タバコ１０を制御するための特定用途向け集積回路（ＡＳＩＣ）などのチップまたはマイクロコントローラーを含む。ＡＳＩＣはバッテリー２１０と並んでまたはその一端に配置されてもよい。ＡＳＩＣはマウスピース３５での吸引を検出するためのセンサーユニット２１５に取り付けられる（またはこれとは別にセンサーユニット２１５をＡＳＩＣ自体に設けてもよい）。そのような検出に応答してＡＳＩＣはバッテリーまたは電池２１０からの電気をカトマイザー内のヒーターに供給して液体源を気化し、エアロゾルをユーザーによって吸引される空気流に導入する。
【００２２】
本体はさらに電子タバコの遠方（遠位）端を封止し、保護するためのキャップ２２５を含む。ユーザーがマウスピース３５で吸引した際に空気を本体内に入らせ、センサーユニット２１５を通過して流れるようにする空気取り込み穴がキャップ２２５にまたはこれに隣接して設けられている。従って、この空気流によってセンサーユニット２１５がユーザーの吸入を検出し、電子タバコのエアロゾル発生エレメントを作動させる。
【００２３】
本体２０のキャップ２２５と反対の端部にあるのは本体２０をカトマイザー３０に接合するためのコネクター２５Ｂである。コネクター２５Ｂは本体２０とカトマイザー３０を機械的および電気的に接続する。コネクター２５Ｂは本体コネクター２４０を含み、これは金属製であり（いくつかの実施態様では銀メッキされている）、カトマイザー３０への電気接続のための１つの端子（正または負）としての役割を果たす。さらにコネクター２５Ｂは、第１の端子、即ち本体コネクター２４０と反対の極性のカトマイザー３０への電気接続のための第２の端子となる電気接触部２５０を含む。電気接触部２５０はコイルスプリング２５５に取り付けられている。本体２０がカトマイザー３０に取り付けられる際、カトマイザーのコネクター２５Ａが軸方向、即ち長手方向軸ＬＡに対して平行な方向（軸方向に位置合わせされて）にコイルスプリングを圧縮するように電気接触部２５０を押す。スプリング２５５の弾力性を考慮するとこの圧縮はスプリング２５５を広がるように付勢し、これはコネクター２５Ａに対して強く電気接触部２５０を押す効果があり、これにより本体２０とカトマイザー３０間の電気接続を確実に良好にする役割を果たす。本体コネクター２４０と電気接触部２５０は、２つの電気的端子間を良好に絶縁するために非伝導性のものから（プラスチックのような）作製されたトレッスル２６０によって隔てられている。トレッスル２６０は、コネクター２５Ａと２５Ｂの相互の機械的な係合を補助するように形成されている。
【００２４】
図３はいくつかの実施態様による図１の電子タバコのカトマイザー３０の略図である。図３は電子タバコの長手方向軸ＬＡを通る面の横断面と通常見なすことができる。ここで留意すべきは本体の種々の部品および詳細、例えば配線および複雑な形状は、分かりやすくするために図３から省かれていることである。
【００２５】
カトマイザー３０はカトマイザー３０の中央（長手方向）軸に沿ってマウスピース３５からカトマイザー３０を本体２０に接合するためのコネクター２５Ａへと延びている空気通路３５５を含む。
【００２６】
液体源の容器３６０が空気通路の周囲に設けられている。この容器３６０は、例えば、液体源に浸したコットンまたは発泡体を供することによって実施してもよい。またカトマイザーはユーザーによる電子タバコ１０の吸引に応答して容器３６０からの液体源を加熱し、エアロゾルを発生させ、空気通路３５５を介してそしてマウスピース３５の開口部から出るようにするヒーター３６５も含む。ヒーターはライン３６６、３６７を介して給電され、これらラインはコネクター２５Ａを介してバッテリー２１０の反対の極（正および負、またはその逆）に接続される（給電ライン３６６、３６７と接続部２５Ａの間の配線の詳細は図３では省略されている）。
【００２７】
ヒーター３６５とマウスピース開口部３６９の間の空気通路３５５のあるセクションは、電子タバコの使用中にエアロゾル搬送空気が通過する空気路を供する。この空気路は空気路壁によって画定され、これはこの例では第１部分３６８および第２部分３７０を含む。空気路壁の第１部分３６８は空気路を囲む液体源容器３６０の内壁を含み、第２部分３６８は空気路を囲むマウスピース３５の内面を含む。さらに以下に説明するように特定の実施態様による電子タバコの１つの顕著な特徴は、エアロゾル源３６０、３６５とマウスピース開口部間を接続する空気路を画定する内壁３６８、３７０の表面の少なくとも一部にエアロゾルを発生させる液剤に対する濡れ性を増すための表面仕上げが施されているということである。
【００２８】
コネクター２５Ａは内部電極３７５を含み、これは銀メッキされてもよく、または他の好適な金属で作製してもよい。カトマイザー３０を本体２０に接続すると、内部電極３７５が本体２０の電気接触部２５０と接触し、カトマイザーと本体の間に第１の電気経路を供する。特にコネクター２５Ａおよび２５Ｂを係合させると、内方電極３７５が電気接触部２５０を押し、コイルスプリング２５５を圧縮し、これにより確実に内方電極３７５と電気接触部２５０間を良好に電気的に接触する役割を果たす。
【００２９】
内部電極３７５は絶縁リング３７２によって囲まれ、これはプラスチック、ゴム、シリコーンまたは他の好適な材料で作製してもよい。絶縁リングはカトマイザーコネクター３７０によって囲まれ、これは銀メッキされてもよく、または好適な金属または導電性材料で作製してもよい。カトマイザー３０を本体２０に接続すると、カトマイザーコネクター３７０が本体２０の本体コネクター２４０と接触し、カトマイザーと本体の間に第２の電気経路を供する。言い換えれば内部電極３７５とカトマイザーコネクター３７０は必要に応じて本体のバッテリー２１０からカトマイザーのヒーター３６５へと供給ライン３６６、３６７を介して電気を供給するための正および負の端子（またはその逆）としての役割を果たす。
【００３０】
カトマイザーコネクター３７０には電子タバコの長手方向軸から離れるように互いに反対方向に延びている２つの突起またはタブ３８０Ａ、３８０Ｂが設けられている。これらのタブはカトマイザー３０を本体２０に接続するための本体コネクター２４０と共にバイオネット嵌めを供するために使用される。このバイオネット嵌めは カトマイザーと本体がぐらついたり曲がったりせずに互いに定位置に保持され、意図せずに外れたりする可能性が極めて小さくなるようにカトマイザー３０と本体２０を確実かつ頑丈に接続する。同時にバイオネット嵌めは接続のために挿入してその後回転することによってそして外すために回転して（反対方向に）そのあと引っ張ることによって簡単かつ素早く接続したり、外したりできるようにする。当然のことながら他の実施態様ではスナップ嵌め、またはねじによる接続などの異なる形体で本体２０とカトマイザー３０間を接続してもよい。
【００３１】
図４はいくつかの実施態様による本体２０の端部のコネクター２５Ｂの詳細を示す略図である（分かりやすくするためにトレッスル２６０などの図２に示したコネクターの内部構造の殆どを省略している）。特に図４は本体２０の外部ハウジング２０１を示し、これは一般に円柱管の形状を有する。この外部ハウジング２０１は、例えば、紙またはそれに類似するものからなる外方のカバーを有する金属からなる内方管を含んでもよい。
【００３２】
本体コネクター２４０は本体２０のこの外部ハウジング２０１から延びている。図４に示すように本体コネクターは、本体２０の外部ハウジング２０１の内側に嵌る大きさの中空の円柱管の形状のシャフト部分２４１および電子タバコの主長手方向軸（ＬＡ）から離れるように半径方向外方に向けられたリップ部分２４２の２つの主要部分を含む。シャフト部分が外部ハウジング２０１と重ならないところで本体コネクター２４０のシャフト部分２４１を囲んでいるのはカラーまたはスリーブ２９０であり、これも円柱管形状である。カラー２９０は本体コネクター２４０のリップ部分２４２と本体の外部ハウジング２０１の間に保持され、これらは共にカラー２９０に軸方向の移動を妨げる（即ち軸ＬＡに平行な）。しかしながら、カラー２９０はシャフト部分２４１の周囲を自由に回転する（従って軸ＬＡの周囲で）。
【００３３】
上述したようにキャップ２２５にはユーザーがマウスピース３５で吸引した際に空気がセンサー２１５を通過して流れるようにする空気取り込み穴が設けられている。しかしながら、ユーザーが吸引した際に装置に入る空気の大半は図４の２本の矢印で示すようにカラー２９０と本体コネクター２４０を介して流れる。
【００３４】
前述の通り空気路３５５を通過するエアロゾルの一部は、電子タバコの使用中に空気路を画定する壁３６８、３７０の内面上に凝集する場合がある。従来の電子タバコではエアロゾルのこの凝集は、空気チェンバー壁に集まって小滴を形成し、本発明者はこれらの小滴は空気路を通過し、マウスピース開口部３６９から出てユーザーの口に入る空気流に同伴され、これによりユーザーの感覚が損なわれると認識している。
【００３５】
この問題を改善するためにエアロゾル源３６０、３６５とマウスピース開口部３６９の間を接続する空気路を画定する内壁３６８、３７０の表面の少なくとも一部にはエアロゾルを発生させる液剤に対する濡れ性を増すための表面仕上げが施されている。従って、実施例的実施態様ではエアロゾル供給装置（電子タバコ）は、エアロゾル源からマウスピースへと接続する空気路の１つ以上の壁にエアロゾルを含む液剤に対するこれらの壁の濡れ性を増すために付与される表面仕上げが施されていること以外は従来のものと同じである。
【００３６】
空気路の壁の濡れ性を増すことによってエアロゾルから空気路の壁上に凝集する液剤は、ビーズが小滴（即ち、比較的高い接触角になる）になるのではなく、広がりやすくなり膜を形成する（即ち、比較的低い接触角になる）。これは空気路壁に堆積する液剤が通常の使用時にエアロゾル供給装置でユーザーが吸引した際に空気路を介して引き込まれる空気（即ち、空気によって拾われる）に同伴され難くすることに役立つ。即ち、濡れ性が増した壁はエアロゾルから空気路の壁上で凝集する液剤の接触角を小さくし、これによりもしそのようにしなかった場合（即ち、空気路を画定する内面の少なくとも一部の濡れ性を増すための表面処理をしていない）より液剤を壁から離れにくくし、空気路内で空気流に入りにくくする。
【００３７】
液剤に対して濡れ性を増すために空気路の内壁（少なくとも一部）に施すことができる表面仕上げには多くの異なるものがある。例えば、表面仕上げは濡れ性を増すために従来の技法に従って供されるプラズマコーティング処理を含んでもよい。別の例では空気路壁は空気路の形成に例えば製造コストおよび簡便さの点で構造的によく適しているが、液剤に対して比較的低い濡れ性（高接触角／低接着性）を有するする基材を含んでもよい。従って、濡れ性を増すための表面仕上げはこの基材に塗布されるコーティングを含んでもよく、この場合そのコーティングは基材より液剤に対してより高い濡れ性（低接触角／高接着性）を有する。例えば、コーティングは基材と比較して比較的高固体の自由エネルギー表面を有する材料を含んでもよい。
【００３８】
しかしながら、図１〜４に示した電子タバコの例ではエアロゾル源とマウスピースの間を接続する空気路の内面の少なくとも一部の濡れ性を増すために施される表面仕上げは表面模様付けを含む。例えば、表面模様の物理的スケールの点での表面模様付けの特性は、どのように表面模様付けが濡れ性に影響を与えるかに関する既存の原理に従って濡れ性特性を増加させるために選択してもよい。表面模様付けは複数の異なる方法で設けてもよい。例えば、一部の実行例では表面模様を空気路壁の関連する表面の研磨粗面化処理、例えば研磨部材でこすることによって設けてもよい。しかしながら、より大きな規模の製造でより単純化しやすい方法は、製造中にエアロゾル供給装置の関連する部品（即ち、空気路壁を画定する部分）に表面模様を型押しすることである。空気路壁を供するエアロゾル供給装置の関連する部品は、通常はプラスチック成形法によって製造され、従って表面模様は好適に模様付けされた表面を有する型を使用して容易に付与することができる。この方法の利点は、それがエアロゾル供給装置の関連する部材の既存の製造装置および方法に殆ど変更を要しないということである。さらに一度変更がなされると（即ち、型押し装置の関連する部品に所望の表面模様付けされると）、各個々のエアロゾル供給装置に対応する製造工程の数およびエアロゾル供給装置の部材が製造中に扱われる方法は、従来のエアロゾル供給装置のものと同じままである。
【００３９】
例えば模様付けを含む構造の特徴的空間規模の観点からの特定の表面模様の特徴は、場合によっては実験的に決定される。例えば、空気路壁の関連する部品を含む材料の異なるサンプルの濡れ性は、一連の異なる表面模様の特徴に対する液剤に対して測定してもよい。それから適した表面模様の特徴は、液剤に対するそれらの観察された濡れ性の特徴を考慮したテストサンプルの中から選択される。具体例によって一部の実施態様では約または少なくともＮ１０、Ｎ１１またはＮ１２（ＩＳＯ１３１２の定義による）に対応する表面粗さを使用してもよい。しかしながら、他の度合いの表面粗さ／性状、例えば約または少なくともＮ１、Ｎ２またはＮ３を他の実施態様では使用可能である。
【００４０】
適した表面仕上げの特徴を制定するための同様な実験的な方法は、表面の濡れ性を増すための他の技術を使用した場合、例えば表面コーティング仕上げを使用する実行例のために同様に用いることが可能である。
【００４１】
口漏れを減少させるためにエアロゾル供給装置の空気路の濡れ性を変えるための表面仕上げを施す方法を比較的簡略化した電子タバコを参照して上述してきた。しかしながら、当然のことながらこれらの原理は、種々の異なる種類のエアロゾル供給装置／電子タバコにその根本的な技術（例えば、エアロゾル発生技術の観点での）およびエアロゾル供給装置の基本的な他の設計上の側面（例えば、全体的な大きさおよび形の観点での）に関係なく適用することができる。
【００４２】
図５Ａ〜５Ｃはいくつかの他の実施態様によるエアロゾル供給装置５００の部品をいくつかの面から略式に示した斜視図である。特に図５Ａはエアロゾル源５０２を含む第１の部品を略式に示しており、図５Ｂはエアロゾル供給装置５００のハウジングの一部を含む第２の部品５１０を略式に示している。エアロゾル供給装置５００のこれら２つの部品は分かりやすくするために図５Ａと５Ｂに別々に示しているが、通常の使用時にはこれら２つの部品は図５Ｃに略式に示すように組み合わされる。この特定の設計のエアロゾル供給装置が組み合わされた状態では、エアロゾル源部品５０２はハウジング部品５１０の内側に嵌められる。当然のことながらエアロゾル供給装置５００は、一般に単純化するために図５Ａ〜５Ｃには示されていない種々の他の特徴、例えば電力供給源を含むことになる。エアロゾル供給装置のこのような他の特徴は従来技法に従って設けてもよい。より一般的には当然のことながらここで説明するエアロゾル供給装置の外観および特徴はここで説明した実施態様に従って変更されたものとは別に制定された技術に基づいて実行してもよい。
【００４３】
エアロゾル源部品５０２はエアロゾルを発生させる液剤を含む液体源を含有する容器本体部５０６と例えばヒーターをベースにしたエアロゾル発生器５０４を含む。液体源とエアロゾル発生器５０４は従来のものであってもよい。容器本体部５０６は一般に一方の側に沿って長手方向に延びた平坦面５０８を有する円形の筒状である。容器本体部５０６は従来の技法に従って形成されてもよく、例えば成型されたプラスチック材を含む。
【００４４】
ハウジング部品５１０はほぼ管状であり、円対称である。ハウジング部品５１０は主ハウジング部５１２およびマウスピース部５１４を含む。これらは別個にまたは一体に形成されてもよい。主ハウジング部５１２とマウスピース部５１４は従来の技法に従って形成されてもよく、例えば押し出しされたアルミニウムまたは成型されたプラスチックを含む。主ハウジング部５１２はエアロゾル源部品５０２の外寸に合致した内寸を有するほぼ円柱状の管を含む。従って、エアロゾル源部品５０２は、図５Ｃに略式に示すように締まりばめ構成でハウジング部品５１０内に収容される。当然のことながらハウジング部品５１０は、一般に図５Ｃで示したよりもさらに延びており、通常はエアロゾル発生器５０４を囲む。ハウジング部品５１０のマウスピース部５１４は、使用中にユーザーの唇が受けるのに人間工学的に適した形に主ハウジング部品の形状から遷移するように輪郭が形成されている。マウスピース部５１４はユーザーがエアロゾル源によって発生されるエアロゾルを吸引する端部に開口部５１６を含む。
【００４５】
図５Ｃの略図から明らかなようにエアロゾル源部品５０２をハウジング部品５１０に挿入すると、平坦な面５０８を設けたことによって容器本体部５０６の外壁およびハウジング部品５１０の内壁の間に空間ができる。エアロゾル供給装置５００の第１部品５０２と第２部品５１０が間隔をおいて配されているこの領域は、これによりエアロゾル発生器５０４の近傍から開口部５１６へ接続する空気路５２０の一部を画定する。他の空気路の部分は、マウスピース５１４に隣接するエアロゾル源部品５０２を囲まないハウジング５１０の内部とマウスピース５１４の内面によって画定されている。一般に空気路５２０を画定するこれらの領域にエアロゾル供給装置のさらなる構造的部材が存在する。例えば、従来技法に従って空気流を抑制するために流量制限器および／またはバッフルおよび／またはスイッチバックを設けてもよい。
【００４６】
図５Ａ〜５Ｃに略式に示したエアロゾル供給装置５００の一般的な作動原理は、図１〜４に示したエアロゾル供給装置の上述の作動原理と類似している。従って、使用時にユーザーがマウスピース５１４で吸い込み、これがエアロゾル供給装置５００の内部に空気がエアロゾル供給装置の遠位端（図示せず）の取り込み開口部を介して引き込まれるようにする。エアロゾル供給装置のコントローラーが空気の流入を、例えば圧力の変化に基づいて検知し、それに応じてエアロゾル発生器５０４を作動させるように構成されている。従って、容器本体部５０６の液体源を含む液剤のエアロゾルがエアロゾル発生器５０４の領域で発生する。空気がエアロゾル供給装置内に引き込まれると、空気はエアロゾル発生器５０４のその領域を通過し、エアロゾルの一部を空気路５２０を介してマウスピース５１４の開口部５１６へと運ぶ。
【００４７】
上述したのと同じように空気路５２０の内壁の少なくとも一部には液剤に対する空気路の表面の濡れ性を増すための表面仕上げが施されている。特にこの例示的実行例において第１部品５０２の平坦面５０８および平坦面５０８と共に空気路５２０を画定するハウジング部品５１０の内面の一部には上述の原理に従って液剤に対するこれらの面の濡れ性を増すための（表面模様を図５Ａおよび５Ｃの平坦面５０８に略式に示す）模様付け仕上げが施されている。その効果は、上述のように空気路５２０の表面上に凝集した液剤が空気路を介して引き込まれる空気に同伴され、開口部５１６を介して出てユーザーの口内に入る傾向を減少させることである。当然のことながら濡れ性を増すための表面仕上げは、代わりにまたは空気路の他の内壁、例えばマウスピース５１４の内壁にも設けてもよい。
【００４８】
一部の例示的実行例では濡れ性を増すための表面仕上げは表面に亘って比較的一定に施される。しかしながら、ある実施態様では表面仕上げは、液剤に対して異なる濡れ性の領域を設けるために空気路壁に亘って変えてもよい。例えば、表面模様（または他の表面仕上げ）を第１領域に施し、これはこの第１領域に隣接する第２領域に施される表面模様（または他の表面仕上げ）より高い濡れ性を供し、従って液剤はこれら２つの領域の間から流れる。第１領域の高い濡れ性は、第２領域に凝集した液剤が第１領域に引き込まれやすいということを意味する。従って、第２領域が第１領域よりユーザーがエアロゾルを吸入する開口部の近くに配置されると、この方法は凝集した液剤を付勢してユーザーが吸入を行うエアロゾル供給装置の端部から離れるように移動させるのに役立つ。さらにこのことは空気路の壁に凝集した液体接着剤が空気流に同伴され、その後ユーザーの口内に引き込まれにくくする。
【００４９】
いくつかの例示的実行例では空気路の内壁に凝集した液剤を空気路から流れ出るように仕向ける。例えば、エアロゾル供給装置に空気路と流体連通するが、空気路の外側にある実質的に貯蔵（保持）面であるものを設けてもよい。例えば、貯蔵面は空気路の壁に設けられそこから離れるように延びた細い隙間からなる面を含んでもよい。従って、空気路の壁に凝集した液剤は、毛管現象によってその隙間に引き込まれ、空気路から出る。
【００５０】
例として空気路５２０に隣接する領域内にある（即ち、平坦な面５０８に隣接する容器本体部５０６の湾曲面の近傍で）図５Ｃに略式に示した容器本体部５０６とハウジング５１０の内部との間の接触面がこの機能を供する。即ち、空気路５２０内で平坦面５０８上にまたは平坦面５０８に向いた他のハウジング５１０の内面上に凝集した液剤は、図５Ｃで空気路から離れるように向けられた一連の矢印によって略式に示したように毛管現象によって容器本体部の湾曲面５０６とハウジング部品５１０との間の隙間内に引き込まれる。この効果をさらに高めるために空気路に隣接する隙間を画定する表面の一方または他方または両方の領域に表面仕上げ、例えば表面模様付けをして、毛管現象による空気路の壁から接触面内への液剤の流れを促進する。例えば、図５Ａ〜５Ｃの実行例を参照すると空気路５２０の外側にある容器部品５０６の外面およびハウジング部品５１０の内面の領域に表面仕上げ、例えば空気路５２０を画定するこれらの面の領域に設けたのと同じまたは類似の表面模様付けを施してもよい。さらには空気路に隣接する隙間に付与される表面仕上げは、空気路からの距離を長くし、濡れ性を増加させ、さらに隙間内への液剤の引き込みを促進させ、これにより隙間内に引き込まれるより多くの液剤のための空間を残すことになる。
【００５１】
従って、エアロゾル供給装置の空気路表面の濡れ性を増加させることによって口漏れに関して上述した問題点を改善するのに役立つエアロゾル供給装置の例を説明した。この点に関し他の実施態様ではこのようなエアロゾル供給装置を製造するための方法および装置が提供される。
【００５２】
図６は特定の実施態様によるエアロゾル供給装置の製造方法のいくつかの工程を略式に示している。加工処理が工程Ｓ１で始まる。工程Ｓ２では１つの空気路壁部品（または複数の部品）が形成される。空気路壁部品は、製造される特定の設計のエアロゾル供給装置を考慮して一般に従来技法に従って、例えば成型または押し出しによって形成してもよい。従って図５Ａ〜５Ｃに示すエアロゾル供給装置の例に関して言えば、工程Ｓ２はエアロゾル源部品５０２の容器本体部５０６部分および／またはハウジング部品５１０および／または表面仕上げが付与される空気路を画定するために使用されるエアロゾル供給装置の他の部分を形成する処理を含んでもよい。工程Ｓ３では関連する表面仕上げが工程Ｓ２で形成された１つ以上の空気路部品の壁に施される。当然のことながら工程Ｓ２およびＳ３は説明上別個の工程として略式に示されているが、一般には同時に行ってもよい。例えば、これは表面仕上げが組み立てられた際に空気路を画定するエアロゾル供給装置の関連部品の成型時に導入されるテクスチャード加工面を含む場合に当てはまる。しかしながら、例えば表面仕上げが研磨粗面化処理または上述したような他の表面仕上げを施すことによってサービステクスチャーを供することを含む場合、これら２つの工程を別々に行ってもよい。
【００５３】
図７は特定の実施態様によるエアロゾル供給装置を製造するための装置７００を略式に示している。装置７００はエアロゾル供給装置の部品を製造するための一般的な従来の技法に基づいたものでもよいが、エアロゾル供給装置に使用される液剤に対して濡れ性を増すために空気路壁を画定する部品の少なくとも一部に表面仕上げを施すための機構７０２含むように変更されている。一部の例では機構７０２はエアロゾル供給装置を製造するための装置の従来の部品の変性版を含んでもよい。例えば、機構７０２は実質的に上述したように表面模様を供するために変更されたエアロゾル供給装置の部品用の型を含むが、それ以外は従来のものと同じである。他の例では機構７０２は他の従来の装置の新たに導入された部品、例えば研磨粗面化処理または別の表面仕上げをエアロゾル供給装置の関連する部品（即ち、表面仕上げが付与される空気路を画定する部品）に施す機構を含んでもよい。
【００５４】
以上、例えばニコチンを含有する液剤を含む液体源からエアロゾルを発生させるためのエアロゾル源を含む電子タバコなどのエアロゾル供給装置について説明してきた。本発明の装置は、アロゾル源およびユーザーが使用時にエアロゾルを吸入するところであるマウスピースの開口部の間に配置された空気路をさらに含む。空気路は壁によって画定され、少なくとも壁の内面の一部には液剤に対する表面の濡れ性を増すための表面仕上げが施されている。例えば、空気路の壁の内面の一部または全てに模様付け仕上げを施してもよい。模様付け仕上げは、例えばエアロゾル供給装置の製造時の１つ以上の空気路部品の成型処理中に施してもよい。空気路の濡れ性を増すことは、エアロゾルが凝集して空気路の壁上で液剤の小滴になってユーザーの口内に引き込まれにくくすることに役立つ。
【００５５】
上述の実施態様はいくつかの点でいくつかの特定の例のエアロゾル供給装置に焦点を合わせているが、当然のことながら同じ原理が他の技術を使用したエアロゾル供給装置に適用することが可能である。即ち、エアロゾル源が作動する特定の方法は、特定の実施態様において基本的な原理に対しては重要ではなく、特許文献１に開示されているようなエアロゾル源の構造を他の実行例でも使用可能である。
【００５６】
種々の問題の対処と技術の発展のため、本開示全体は種々の実施形態を例示的に示しており、これらの実施形態では特許請求された発明が実践される。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【先行技術文献】
【特許文献】
【００５７】
【特許文献１】米国特許出願公報第２０１１／０２２６２３６号
【図１】
0006293313.tif 000002
【図２】
0006293313.tif 000003
【図３】
0006293313.tif 000004
【図４】
0006293313.tif 000005
【図５Ａ】
0006293313.tif 000006
【図５Ｂ】
0006293313.tif 000007
【図５Ｃ】
0006293313.tif 000008
【図６】
0006293313.tif 000009
【図７】
0006293313.tif 000010